(57)【要約】【課題】  プラズマディスプレイパネルにおいて、静電容量の増大を防止しつつ、非放電空間における不要な対向放電の発生を防止する。【解決手段】非放電空間３２１を間に挟んで相互に対向する横隔壁１００ａの間の距離をＢ、隔壁１００の高さをＤ１とすると、Ｂ及びＤ１は以下の関係が成り立つように設定されている。  Ｂ＜１．１８Ｄ１【選択図】    図１
2005243392.tif 000002
【特許請求の範囲】
【請求項１】
前面基板と背面基板とを対向させ、表示領域内において所定の画像を表示するプラズマディスプレイパネルであって、
前記前面基板は、第一基板と、前記第一基板上において第一の方向に延びるように形成された走査電極と、前記走査電極上に形成された走査電極用バス電極と、前記第一基板上において前記第一の方向に延びるように形成された共通電極と、前記共通電極上に形成された共通電極用バス電極と、を少なくとも備え、
前記背面基板は、第二基板と、前記第二基板上において前記第一の方向に交わる第二の方向に延びるように形成されたデータ電極と、前記第二基板上において、前記第一及び第二の方向に延びるように形成され、前記表示領域を放電空間と非放電空間とに分離する隔壁と、を少なくとも備え、
前記走査電極用バス電極及び前記共通電極用バス電極の少なくとも何れか一つは少なくとも一部が前記非放電空間に突出しているプラズマディスプレイパネルにおいて、
前記非放電空間の前記第二の方向における長さは、前記隔壁の高さの１．３倍よりも小さいことを特徴とするプラズマディスプレイパネル。
【請求項２】
前記非放電空間の前記第二の方向における長さは、前記隔壁の高さの１．１８倍よりも小さいことを特徴とする請求項１に記載のプラズマディスプレイパネル。
【請求項３】
前面基板と背面基板とを対向させ、表示領域内において所定の画像を表示するプラズマディスプレイパネルであって、
前記前面基板は、第一基板と、前記第一基板上において第一の方向に延びるように形成された走査電極と、前記走査電極上に形成された走査電極用バス電極と、前記第一基板上において前記第一の方向に延びるように形成された共通電極と、前記共通電極上に形成された共通電極用バス電極と、を少なくとも備え、
前記背面基板は、第二基板と、前記第二基板上において前記第一の方向に交わる第二の方向に延びるように形成されたデータ電極と、前記第二基板上において、前記第一及び第二の方向に延びるように形成され、前記表示領域を放電空間と非放電空間とに分離する隔壁と、を少なくとも備え、
前記隔壁は、前記非放電空間においても、前記第二の方向に延びるように形成されており、
前記走査電極用バス電極及び前記共通電極用バス電極の少なくとも何れか一つは少なくとも一部が前記非放電空間に突出しているプラズマディスプレイパネルにおいて、
前記非放電空間の前記第一の方向における長さは、前記隔壁の高さの１．３倍よりも小さいことを特徴とするプラズマディスプレイパネル。
【請求項４】
前記非放電空間の前記第一の方向における長さは、前記隔壁の高さの１．１８倍よりも小さいことを特徴とする請求項３に記載のプラズマディスプレイパネル。
【請求項５】
前面基板と背面基板とを対向させ、表示領域内において所定の画像を表示するプラズマディスプレイパネルであって、
前記前面基板は、第一基板と、前記第一基板上において第一の方向に延びるように形成された走査電極と、前記走査電極上に形成された走査電極用バス電極と、前記第一基板上において前記第一の方向に延びるように形成された共通電極と、前記共通電極上に形成された共通電極用バス電極と、を少なくとも備え、
前記背面基板は、第二基板と、前記第二基板上において前記第一の方向に交わる第二の方向に延びるように形成されたデータ電極と、前記第二基板上において、前記第一及び第二の方向に延びるように形成され、前記表示領域を放電空間と非放電空間とに分離する隔壁と、を少なくとも備え、
前記走査電極用バス電極及び前記共通電極用バス電極の少なくとも何れか一つは少なくとも一部が前記非放電空間に突出しているプラズマディスプレイパネルにおいて、
前記非放電空間における前記隔壁の高さは前記放電空間における前記隔壁の高さと異なることを特徴とするプラズマディスプレイパネル。
【請求項６】
前記非放電空間における前記隔壁の高さは前記放電空間における前記隔壁の高さよりも低いことを特徴とする請求項５に記載のプラズマディスプレイパネル。
【請求項７】
前記非放電空間における対向放電の開始電圧は前記放電空間における対向放電の開始電圧よりも高いことを特徴とする請求項１乃至６の何れか一項に記載のプラズマディスプレイパネル。
【請求項８】
前記非放電空間における前記隔壁の高さは、前記非放電空間における隔壁の高さと放電ガスの圧力との積がパッシェンカーブにおける負勾配の範囲内にあるような高さであることを特徴とする請求項１乃至７の何れか一項に記載のプラズマディスプレイパネル。
【請求項９】
前記走査電極用バス電極及び前記共通電極用バス電極の少なくとも何れか一つは前記第二の方向における長さの半分が前記非放電空間に突出していることを特徴とする請求項１乃至８の何れか一項に記載のプラズマディスプレイパネル。
【請求項１０】
第一基板と、前記第一基板上において第一の方向に延びるように形成された走査電極と、前記走査電極上に形成された走査電極用バス電極と、前記第一基板上において第一の方向に延びるように形成された共通電極と、前記共通電極上に形成された共通電極用バス電極と、を具備する前面基板と、
第二基板と、前記第二基板上において前記第一の方向と交わる第二の方向に延びるように形成されたデータ電極と、前記第二基板上において前記第一及び第二の方向に延びるように形成され、前記第一及び第二基板に挟まれた空間を放電空間と非放電空間とに分離する隔壁と、を具備する背面基板と、を有し、
前記走査電極用バス電極及び前記共通電極用バス電極の何れか一つは一部が前記非放電空間に突出しており、前記非放電空間における対向放電の開始電圧は前記放電空間における対向放電の開始電圧よりも高いことを特徴とするプラズマディスプレイパネル。
【請求項１１】
前記走査電極または前記共通電極は対をなして前記非放電空間を隔てて配置されていることを特徴とする請求項１乃至１０の何れか一項に記載のプラズマディスプレイパネル。
【請求項１２】
請求項１乃至１１の何れか一項に記載のプラズマディスプレイパネルを備えるプラズマ表示装置。
【請求項１３】
第一基板と、前記第一基板上において第一の方向に延びるように形成された走査電極と、前記走査電極上に形成された走査電極用バス電極と、前記第一基板上において第一の方向に延びるように形成された共通電極と、前記共通電極上に形成された共通電極用バス電極と、を具備する前面基板と、
第二基板と、前記第二基板上において前記第一の方向と交わる第二の方向に延びるように形成されたデータ電極と、前記第二基板上において前記第一及び第二の方向に延びるように形成され、前記第一及び第二基板に挟まれた空間を放電空間と非放電空間とに分離する隔壁と、を具備する背面基板と、を有し、
前記走査電極用バス電極及び前記共通電極用バス電極の何れか一つは一部が前記非放電空間に突出しており、前記非放電空間における対向放電の開始電圧は前記放電空間における対向放電の開始電圧よりも高いことを特徴とするプラズマディスプレイパネルの駆動方法であって、
前記走査電極と前記データ電極との間に、前記非放電空間における対向放電の開始電圧より低く、前記放電空間における対向放電の開始電圧よりも高い電圧を印加することにより書き込み放電を行うことを特徴とするプラズマディスプレイパネルの駆動方法。
【発明の詳細な説明】
【技術分野】
【０００１】
本発明は、プラズマディスプレイパネル、プラズマディスプレイパネルを備えるプラズマ表示装置及びプラズマディスプレイパネルの駆動方法に関する。
【背景技術】
【０００２】
プラズマ表示装置の一構成要素であるプラズマディスプレイパネルには、その動作方式により、電極が誘電体層で被覆されて間接的に交流放電の状態で動作させるＡＣ（Ａｌｔｅｒｎａｔｅ  Ｃｕｒｒｅｎｔ）型と、電極が放電空間に露出して直流放電の状態で動作させるＤＣ（Ｄｉｒｅｃｔ  Ｃｕｒｒｅｎｔ）型とがある。
【０００３】
さらに、ＡＣ型のプラズマディスプレイパネルには、駆動方式として表示セルのメモリ機能を利用するメモリ動作型と、表示セルのメモリ機能を利用しないリフレッシュ動作型とがある。
【０００４】
図９はＡＣ型プラズマディスプレイパネルにおける一つの表示セルの構造の一例を示す分解斜視図である。先ず、図９を参照して、プラズマディスプレイパネルの一般的な構造を説明する。
【０００５】
図９に示すように、この表示セルにおいては、前面基板３５１（看者に近い側の基板）と背面基板３５２（看者から遠い側の基板）とが相互に平行に設けられている。
【０００６】
前面基板３５１は、ガラスその他の透明材料により形成された絶縁基板３０２と、絶縁基板３０２における背面基板３５２に対向する表面上に形成された複数個の走査電極３０３及び共通電極３０４と、走査電極３０３上に形成されたバス電極３０５と、共通電極３０４上に形成されたバス電極３０６と、走査電極３０３、共通電極３０４、バス電極３０５及び３０６を覆って絶縁基板３０２上に形成された誘電体層３１２と、誘電体層３１２を覆って形成された保護層３１３と、を備えている。
【０００７】
走査電極３０３及び共通電極３０４は所定の間隔を隔てて、相互に平行に、かつ、２つずつ交互に配置されている（図９においては、走査電極３０３及び共通電極３０４はそれぞれ１個ずつのみ図示）。すなわち、走査電極３０３及び共通電極３０４は、走査電極３０３、共通電極３０４、共通電極３０４、走査電極３０３の順にこれらを一つの単位として配置されている。
【０００８】
すなわち、対をなす走査電極３０３は非放電空間３２１を隔てて配置される。同様に、対をなす共通電極３０４は非放電空間３２１を隔てて配置される。すなわち、図１における非放電空間３２１を隔てて配置されるバス電極３０６ａ及び３０６ｂはともに走査電極用バス電極であるか、あるいは、ともに共通電極用バス電極である。
【０００９】
保護層３１３は、誘電体層３１２を放電から保護するために形成されており、例えば、酸化マグネシウム（ＭｇＯ）からなる。
【００１０】
背面基板３５２は、ガラスその他の透明材料からなる絶縁基板３０１と、絶縁基板３０１の前面基板３５１に対向する表面において、走査電極３０３及び共通電極３０４に直交する方向に延びるように形成された複数本のデータ電極３０７（図９においては、１本のみ図示）と、データ電極３０７を覆って絶縁基板３０１上に形成された誘電体層３１４と、誘電体層３１４上に形成された隔壁３１５と、誘電体層３１４の表面及び隔壁３１５の側面に形成された蛍光体層３１１と、から構成されている。
【００１１】
隔壁３１５は、放電ガス空間を確保するとともに、表示セル（画素）３０８を区画している。
【００１２】
絶縁基板３０１の表面に垂直な方向から見て、隔壁３１５の形状は井桁状（格子状）であり、隔壁３１５は、データ電極３０７が延びる方向と同一の方向に延びる縦隔壁３１５ａと、走査電極３０３及び共通電極３０４が延びる方向と同一の方向（縦隔壁３１５ａが延びる方向に直交する方向）に延びる横隔壁３１５ｂとからなっている。
【００１３】
表示セル３０８にはヘリウム、ネオンもしくはキセノンその他の希ガス又はこれらの希ガスの混合ガスからなる放電ガスが充填されている。蛍光体層３１１は、この放電ガスの放電によって発生する紫外線を受けて、可視光３１０を発光する。
【００１４】
バス電極３０５及び３０６は走査電極３０３及び共通電極３０４の電極抵抗値を小さくするために形成されている。
【００１５】
図１０は、共通電極３０４上に形成された二つのバス電極３０６ａ及び３０６ｂと横隔壁３１５ｂを上方から見たときの両者の一配置例を示す概略的な平面図である。
【００１６】
図１０に示すように、前面基板３５１と背面基板３５２との間の画像が表示される表示領域は、中央部の放電空間３２０と、この放電空間３２０を囲む周辺部である非放電空間３２１と、からなる。
【００１７】
仮に、バス電極３０６ａ及び３０６ｂが放電空間に露出していると、バス電極３０６ａ及び３０６ｂが可視光３１０を遮光してしまうため、発光効率の低下を招来する。このため、図１０に示す配置例においては、非放電空間３２１の領域を全て横隔壁３１５ｂで覆い、バス電極３０６ａ及び３０６ｂをその横隔壁３１５ｂ上に配置し、バス電極３０６ａ及び３０６ｂを放電空間３２０から隠すことにより、バス電極３０６ａ及び３０６ｂによる可視光３１０の遮光を防止している。
【００１８】
しかしながら、図１０に示した配置例のように、非放電空間を全て横隔壁３１５ｂで覆うと、バス電極３０６ａ及び３０６ｂと横隔壁３１５ｂとが重なり合う領域が大きくなるため、その分だけ、静電容量が増大する。
【００１９】
このため、特開２００２−１７０４９２号公報に示されるプラズマディスプレイパネルにおいては、図１１に示すように、横隔壁３１５ｂの両縁部３１５ｂａのみを残し、両縁部３１５ｂａの間の中央部３１５ｂｂを開口させた横隔壁構造が提案されている。
【００２０】
中央部３１５ｂｂが開口されていることに伴い、バス電極３０６ａ及び３０６ｂは一部分が両縁部３１５ｂａに重なり合い、残りの部分は中央部３１５ｂｂすなわち非放電空間３２１に突出している。
【００２１】
このように、横隔壁３１５ｂの中央部３１５ｂｂを開口させることにより、バス電極３０６ａ及び３０６ｂと横隔壁３１５ｂとが重なり合う領域を小さくすることができるため、対向電極間の静電容量の増大を回避することが可能である。
【特許文献１】特開２００２−１７０４９２号公報（図１）
【発明の開示】
【発明が解決しようとする課題】
【００２２】
しかしながら、図１１に示したプラズマディスプレイパネルにおいては、非放電空間３２１において、具体的には、開口された中央部３１５ｂｂにおいて、不要な対向放電が発生するという結果を招来していた。
【００２３】
表示セルすなわち放電空間３２０において対向放電を発生させるために対向電極間（走査電極３０３及び共通電極３０４とデータ電極３０７との間）に電圧を印加する場合、非放電空間３２１において対向放電の放電開始電圧を超えると、非放電空間３２１においても対向放電が発生する。このような対向放電は、特に、アドレス時に発生しやすい。
【００２４】
しかしながら、このような非放電空間３２１における対向放電は、本来生じるべきものではない不要な対向放電である。
【００２５】
このように、非放電空間３２１、すなわち、開口された中央部３１５ｂｂにおいて不要な対向放電が発生すると、次の二つの問題点が発生する。
【００２６】
第一の問題点は、表示上のざらつきが発生することである。すなわち、中央部３１５ｂｂにおける対向放電は、本来対向放電が生じるべきではない領域に発生する放電であるため、中央部３１５ｂｂにおいて対向放電が発生すると、輝度が変化し、このため、画像を見ている者に対して、画像の表示がざらついているような印象を与える。このような表示上のざらつきは、特に、低階調表示の際に大きな問題となる。
【００２７】
第二の問題点は、中央部３１５ｂｂにおける対向放電によって生じたプライミング粒子が表示セルすなわち放電空間３２０の内部に拡散する点である。プライミング粒子が表示セルの内部に拡散すると、表示セルの駆動マージンが減少するという問題を引き起こす。
【００２８】
本発明は、以上のような従来のプラズマディスプレイパネルにおける問題点に鑑みてなされたものであり、静電容量の増大を防止しつつ、非放電空間における不要な対向放電の発生を防止することができるプラズマディスプレイパネル、そのようなプラズマディスプレイパネルを備えるプラズマ表示装置及びそのようなプラズマディスプレイパネルの駆動方法を提供することを目的とする。
【課題を解決するための手段】
【００２９】
この目的を達成するため、本発明は、前面基板と背面基板とを対向させ、表示領域内において所定の画像を表示するプラズマディスプレイパネルであって、前記前面基板は、第一基板と、前記第一基板上において第一の方向に延びるように形成された走査電極と、前記走査電極上に形成された走査電極用バス電極と、前記第一基板上において前記第一の方向に延びるように形成された共通電極と、前記共通電極上に形成された共通電極用バス電極と、を少なくとも備え、前記背面基板は、第二基板と、前記第二基板上において前記第一の方向に交わる第二の方向に延びるように形成されたデータ電極と、前記第二基板上において、前記第一及び第二の方向に延びるように形成され、前記表示領域を放電空間と非放電空間とに分離する隔壁と、を少なくとも備え、前記走査電極用バス電極及び前記共通電極用バス電極の少なくとも何れか一つは少なくとも一部が前記非放電空間に突出しているプラズマディスプレイパネルにおいて、前記非放電空間の前記第二の方向における長さは、前記隔壁の高さの１．３倍よりも小さいことを特徴とするプラズマディスプレイパネルを提供する。
【００３０】
本プラズマディスプレイパネルにおいては、前記非放電空間の前記第二の方向における長さは、前記隔壁の高さの１．１８倍よりも小さいことが特に好ましい。
【００３１】
また、本発明は、前面基板と背面基板とを対向させ、表示領域内において所定の画像を表示するプラズマディスプレイパネルであって、前記前面基板は、第一基板と、前記第一基板上において第一の方向に延びるように形成された走査電極と、前記走査電極上に形成された走査電極用バス電極と、前記第一基板上において前記第一の方向に延びるように形成された共通電極と、前記共通電極上に形成された共通電極用バス電極と、を少なくとも備え、前記背面基板は、第二基板と、前記第二基板上において前記第一の方向に交わる第二の方向に延びるように形成されたデータ電極と、前記第二基板上において、前記第一及び第二の方向に延びるように形成され、前記表示領域を放電空間と非放電空間とに分離する隔壁と、を少なくとも備え、前記隔壁は、前記非放電空間においても、前記第二の方向に延びるように形成されており、前記走査電極用バス電極及び前記共通電極用バス電極の少なくとも何れか一つは少なくとも一部が前記非放電空間に突出しているプラズマディスプレイパネルにおいて、前記非放電空間の前記第一の方向における長さは、前記隔壁の高さの１．３倍よりも小さいことを特徴とするプラズマディスプレイパネルを提供する。
【００３２】
本プラズマディスプレイパネルにおいては、前記非放電空間の前記第一の方向における長さは、前記隔壁の高さの１．１８倍よりも小さいことが特に好ましい。
【００３３】
さらに、本発明は、前面基板と背面基板とを対向させ、表示領域内において所定の画像を表示するプラズマディスプレイパネルであって、前記前面基板は、第一基板と、前記第一基板上において第一の方向に延びるように形成された走査電極と、前記走査電極上に形成された走査電極用バス電極と、前記第一基板上において前記第一の方向に延びるように形成された共通電極と、前記共通電極上に形成された共通電極用バス電極と、を少なくとも備え、前記背面基板は、第二基板と、前記第二基板上において前記第一の方向に交わる第二の方向に延びるように形成されたデータ電極と、前記第二基板上において、前記第一及び第二の方向に延びるように形成され、前記表示領域を放電空間と非放電空間とに分離する隔壁と、を少なくとも備え、前記走査電極用バス電極及び前記共通電極用バス電極の少なくとも何れか一つは少なくとも一部が前記非放電空間に突出しているプラズマディスプレイパネルにおいて、前記非放電空間における前記隔壁の高さは前記放電空間における前記隔壁の高さと異なることを特徴とするプラズマディスプレイパネルを提供する。
【００３４】
前記非放電空間における前記隔壁の高さは前記放電空間における前記隔壁の高さよりも低いことが好ましい。
【００３５】
前記非放電空間における対向放電の開始電圧は前記放電空間における対向放電の開始電圧よりも高いことが好ましい。
【００３６】
前記非放電空間における前記隔壁の高さは、前記非放電空間における隔壁の高さと放電ガスの圧力との積がパッシェンカーブにおける負勾配の範囲内にあるような高さであるように設定される。
【００３７】
前記走査電極用バス電極及び前記共通電極用バス電極の少なくとも何れか一つは前記第二の方向における長さの半分が前記非放電空間に突出していることが好ましい。
【００３８】
さらに、本発明は、第一基板と、前記第一基板上において第一の方向に延びるように形成された走査電極と、前記走査電極上に形成された走査電極用バス電極と、前記第一基板上において第一の方向に延びるように形成された共通電極と、前記共通電極上に形成された共通電極用バス電極と、を具備する前面基板と、第二基板と、前記第二基板上において前記第一の方向と交わる第二の方向に延びるように形成されたデータ電極と、前記第二基板上において前記第一及び第二の方向に延びるように形成され、前記第一及び第二基板に挟まれた空間を放電空間と非放電空間とに分離する隔壁と、を具備する背面基板と、を有し、前記走査電極用バス電極及び前記共通電極用バス電極の何れか一つは一部が前記非放電空間に突出しており、前記非放電空間における対向放電の開始電圧は前記放電空間における対向放電の開始電圧よりも高いことを特徴とするプラズマディスプレイパネルを提供する。
【００３９】
上述のプラズマディスプレイパネルにおいては、前記走査電極または前記共通電極は対をなして前記非放電空間を隔てて配置されていることが好ましい。
【００４０】
さらに、本発明は、上記のプラズマディスプレイパネルを備えるプラズマ表示装置を提供する。
【００４１】
さらに、本発明は、第一基板と、前記第一基板上において第一の方向に延びるように形成された走査電極と、前記走査電極上に形成された走査電極用バス電極と、前記第一基板上において第一の方向に延びるように形成された共通電極と、前記共通電極上に形成された共通電極用バス電極と、を具備する前面基板と、第二基板と、前記第二基板上において前記第一の方向と交わる第二の方向に延びるように形成されたデータ電極と、前記第二基板上において前記第一及び第二の方向に延びるように形成され、前記第一及び第二基板に挟まれた空間を放電空間と非放電空間とに分離する隔壁と、を具備する背面基板と、を有し、前記走査電極用バス電極及び前記共通電極用バス電極の何れか一つは一部が前記非放電空間に突出しており、前記非放電空間における対向放電の開始電圧は前記放電空間における対向放電の開始電圧よりも高いことを特徴とするプラズマディスプレイパネルの駆動方法であって、前記走査電極と前記データ電極との間に、前記非放電空間における対向放電の開始電圧より低く、前記放電空間における対向放電の開始電圧よりも高い電圧を印加することにより書き込み放電を行うことを特徴とするプラズマディスプレイパネルの駆動方法を提供する。
【発明の効果】
【００４２】
本発明に係るプラズマディスプレイパネルにおいては、隔壁の高さを基準として、非放電空間の縦方向の長さ、横方向の長さ及び深さの適切な範囲を設定している。これにより、非放電空間における対向放電の発生を抑制することができ、画像表示上のざらつきの発生を防止することができる。さらに、非放電空間の全てを隔壁で覆わないため、対向電極間の静電容量の増大を防止することもできる。
【発明を実施するための最良の形態】
【００４３】
（第一の実施の形態）
図１（Ａ）は本発明の第一の実施の形態に係るプラズマディスプレイパネルの概略的な平面図、図１（Ｂ）は図１（Ａ）のＢ−Ｂ'線における断面図、図１（Ｃ）は図１（Ａ）のＡ−Ａ'線における断面図、図１（Ｄ）は図１（Ａ）のＣ−Ｃ'線における断面図である。
【００４４】
本実施形態に係るプラズマディスプレイパネルは、隔壁の形状及び非放電空間の寸法を除いて、図９に示したプラズマディスプレイパネルと同一の構造を有している。
【００４５】
本実施形態に係るプラズマディスプレイパネルにおける隔壁１００は、走査電極３０３及び共通電極３０４が延びる方向と同一の方向に延びる横隔壁１００ａと、相互に隣接する一対の横隔壁１００ａの間を相互に平行に、かつ、等間隔に延びる縦隔壁１００ｂと、からなる。
【００４６】
このため、放電空間３２０は相互に隣接する一対の横隔壁１００ａと相互に隣接する一対の縦隔壁１００ｂとにより画定されており、非放電空間３２１は、横隔壁１００ａに隣接して、開口している。
【００４７】
共通電極３０４用の二つのバス電極３０６ａ及び３０６ｂは、図１１に示したプラズマディスプレイパネルの場合と同様に、一部分が横隔壁１００ａに重なり合い、残りの部分は非放電空間３２１に突出している。
【００４８】
本実施形態に係るプラズマディスプレイパネルにおいては、データ電極３０７が延びる方向と同一の方向における非放電空間３２１の長さ、すなわち、非放電空間３２１を間に挟んで相互に対向する横隔壁１００ａの間の距離をＢ、隔壁１００の高さをＤ１とすると、非放電空間３２１の長さＢ及び隔壁１００の高さＤ１は以下の関係が成り立つように設定されている。
【００４９】
Ｂ＜１．１８Ｄ１    （１）
図２は、発明者が行った実験の結果として求めた、不要放電が発生する表示セル数の割合（縦軸）とＢ／Ｄ１（横軸）との間の関係を示すグラフである。
【００５０】
縦軸の不要放電が発生する表示セル数の割合は０から１までの間で変化する。「０」は不要放電が発生する表示セルが全く存在しないことを示し、「１」は全ての表示セルにおいて不要放電が発生していることを示す。
【００５１】
従って、縦軸の値は小さいほど好ましく、０であることが最も好ましい。縦軸の値が０である場合、横軸Ｂ／Ｄ１の値は約１．１８である。従って、横軸Ｂ／Ｄ１の値を１．１８以下の値にすることにより、全ての表示セルにおいて不要放電の発生を防止することが可能になる。
【００５２】
縦軸の値、すなわち、不要放電が発生する表示セル数の割合は０であることが最も好ましいが、現実的には、不要放電が発生する表示セル数の割合を０にすることは製造技術の面において困難を伴う。このため、ある程度の許容範囲を設定することが現実的である。
【００５３】
発明者が多数のモニターに対して行った実験の結果、縦軸の不要放電が発生する表示セル数の割合が０．２を超えなければ、不要放電に起因する表示上のざらつきは看者が気になる程度ではなく、画像品質はそれほど低下しないことが判明した。
【００５４】
このような観点から、本実施形態に係るプラズマディスプレイパネルにおいては、縦軸の不要放電が発生する表示セル数の割合を０．２以下に設定した。ただし、縦軸の値のバラツキとして±０．０２を考慮して、縦軸の値としては０．１８以下の範囲を選定した。縦軸の値が０．１８の場合の横軸Ｂ／Ｄ１の値は１．３である。
【００５５】
従って、本実施形態に係るプラズマディスプレイパネルにおいては、横軸Ｂ／Ｄ１の値を次のように設定した。
【００５６】
Ｂ／Ｄ１＜１．３  すなわち、Ｂ＜１．３Ｄ１    （２）
一般に、隔壁１００の近傍では、電荷が隔壁１００に吸着されてしまうため、放電が発生しにくい。このため、放電空間３２０において対向放電が発生するような電圧が対向電極間に印加されても、非放電空間３２１においては、バス電極３０６ａ及び３０６ｂが非放電空間３２１に露出していたとしても、対向放電は発生しなくなる。
【００５７】
本実施形態に係るプラズマディスプレイパネルにおいては、以上のように、非放電空間３２１を間に挟んで相互に対向する横隔壁１００ａの間の距離Ｂ及び隔壁１００の高さＤ１を、Ｂ＜１．３Ｄ１の関係が成り立つように、最も好ましくは、Ｂ＜１．１８Ｄ１の関係が成り立つように設定している。
【００５８】
これにより、非放電空間３２１における対向放電の発生を抑制することができ、その結果として、画像表示上のざらつきの発生を防止することができる。
【００５９】
さらに、本実施形態に係るプラズマディスプレイパネルにおいては、図１０に示した従来のプラズマディスプレイパネルとは異なり、非放電空間３２１の全てを隔壁１００で覆わないため、対向電極間（走査電極３０３とデータ電極３０７との間及び共通電極３０４とデータ電極３０７との間）の静電容量の増大を防止することもできる。
【００６０】
なお、本実施形態においては、バス電極として、連続して配置されている二つの共通電極３０４上に形成された二つのバス電極３０６ａ及び３０６ｂを例としたが、本実施形態は、連続して配置されている二つの走査電極３０３上に形成された二つのバス電極に対しても適用することが可能である。すなわち、本実施形態は、共通電極３０４上に形成された二つのバス電極３０６ａ及び３０６ｂと走査電極３０３上に形成された二つのバス電極の双方または何れか一方にのみ適用することが可能である。
【００６１】
（第二の実施の形態）
図３（Ａ）は本発明の第二の実施の形態に係るプラズマディスプレイパネルの概略的な平面図、図３（Ｂ）は図３（Ａ）のＢ−Ｂ'線における断面図、図３（Ｃ）は図３（Ａ）のＡ−Ａ'線における断面図、図３（Ｄ）は図３（Ａ）のＣ−Ｃ'線における断面図である。
【００６２】
本実施形態に係るプラズマディスプレイパネルは、隔壁の形状を除いて、図１に示した第一の実施形態に係るプラズマディスプレイパネルと同一の構造を有している。ただし、非放電空間３２１の長さＢ及び隔壁１００の高さＤ１は上記の（１）式及び（２）式が成り立つように設定されていることは必ずしも必要ではない。
【００６３】
本実施形態に係るプラズマディスプレイパネルにおいては、図３（Ｄ）に示すように、非放電空間３２１において、誘電体層３１４上に隔壁１００の高さを調整する調整層１０１が形成されており、その結果として、放電空間３２０における隔壁１００（横隔壁１００ａ）の高さＤ１と非放電空間３２１における隔壁１００（横隔壁１００ａ）の高さＤ２とは異なっている。ただし、隔壁１００ａ及び１００ｂの前面基板３５１と対向する面の高さは実質的には同じになるように形成されている。この点は他の実施形態においても同様である。
【００６４】
具体的には、非放電空間３２１における隔壁１００（横隔壁１００ａ）の高さＤ２は放電空間３２０における隔壁１００（横隔壁１００ａ）の高さＤ１よりも小さい。
【００６５】
Ｄ１＞Ｄ２    （３）
なお、調整層１０１は隔壁１００と同一の材料で形成することが可能である。
【００６６】
図４は、縦軸を対向放電が始まる際の放電開始電圧Ｖｆ、横軸をｐｄとした、いわゆるパッシェンカーブを示すグラフである。なお、ｐは放電ガスの圧力、ｄは放電空間３２０または非放電空間３２１における隔壁１００の高さを示す。
【００６７】
図４に示すように、パッシェンカーブにおいては、縦軸Ｖｆの値は、横軸ｐｄの値の増加に伴って、負の勾配の下に徐々に減少し、最小値（極小値）に到達した後、曲線の勾配が負から正に変わり、徐々に増加する。
【００６８】
本実施形態に係るプラズマディスプレイパネルにおいては、非放電空間３２１における隔壁１００（横隔壁１００ａ）の高さＤ２は、上式（３）を満足するとともに、高さＤ２と放電ガスの圧力Ｐとの積（Ｐ×Ｄ２）が図４に示すパッシェンカーブにおける負の勾配の範囲内、すなわち、縦軸Ｖｆの値の最小値の左側の範囲内に位置するような高さに設定されている。
【００６９】
このように、非放電空間３２１における隔壁１００（横隔壁１００ａ）の高さＤ２を放電空間３２０における隔壁１００（横隔壁１００ａ）の高さＤ１よりも小さく設定し、さらに、高さＤ２と放電ガスの圧力Ｐとの積（Ｐ×Ｄ２）が縦軸Ｖｆの値の最小値の左側の範囲内に位置するように高さＤ２を設定することにより、非放電空間３２１における放電開始電圧Ｖｆは放電空間３２０における放電開始電圧よりも高くなる。このため、放電空間３２０において対向放電が発生するような電圧が対向電極間に印加されたとしても、非放電空間３２１においては、対向放電は発生しない。すなわち、不要な対向放電の発生を抑制することができる。
【００７０】
さらに、（Ｄ１−Ｄ２）の厚さを有する調整層１０１が存在するため、外部から印加される電圧のうち、非放電空間３２１に作用する実効電圧が、調整層１０１に対応して、減少する。このため、放電空間３２０においては対向放電が発生するような外部電圧が印加されても、非放電空間３２１においては、対向放電は発生しない。
【００７１】
なお、本実施形態に係るプラズマディスプレイパネルにおいては、上式（３）（Ｄ１＞Ｄ２）が成り立つように隔壁１００を形成したが、非放電空間３２１における隔壁１００（横隔壁１００ａ）の高さＤ２が放電空間３２０における隔壁１００（横隔壁１００ａ）の高さＤ１よりも大きくなるように設定することも可能である。
【００７２】
Ｄ２＞Ｄ１    （４）
この場合には、非放電空間３２１における放電開始電圧Ｖｆが放電空間３２０における放電開始電圧よりも高くなるように、高さＤ２と放電ガスの圧力Ｐとの積（Ｐ×Ｄ２）がパッシェンカーブの最小値よりも右側の範囲（曲線の勾配が正の範囲）に位置するように、高さＤ２を設定する。
【００７３】
以上のように、本実施形態に係るプラズマディスプレイパネルにおいては、非放電空間３２１における隔壁１００（横隔壁１００ａ）の高さＤ２は放電空間３２０における隔壁１００（横隔壁１００ａ）の高さＤ１よりも小さくなるように設定されている（Ｄ１＞Ｄ２）。
【００７４】
これにより、非放電空間３２１における対向放電の発生を抑制することができ、その結果として、画像表示上のざらつきの発生を防止することができる。さらに、図１０に示した従来のプラズマディスプレイパネルとは異なり、非放電空間３２１の全てを隔壁１００で覆わないため、対向電極間（走査電極３０３とデータ電極３０７との間及び共通電極３０４とデータ電極３０７との間）の静電容量の増大を防止することもできる。
【００７５】
なお、本実施形態においては、上述のように、非放電空間３２１における対向放電開始電圧Ｖｆは放電空間３２０における対向放電開始電圧よりも高いため、放電空間３２０において対向放電が発生するような電圧が対向電極間に印加されたとしても、非放電空間３２１においては、対向放電は発生しない。このことから、非放電空間３２１における対向放電開始電圧よりも低く、放電空間３２０における対向放電開始電圧よりも高い電圧を走査電極３０３とデータ電極３０７との間に印加して、書き込み放電を発生させることにより、非放電空間３２１における対向放電、すなわち、不要な対向放電を発生させることなく、書き込み選択を行うことができる。
【００７６】
例えば、通常は、書き込み放電を発生させる際には、走査電極３０３とデータ電極３０７との間の電位差は約６５Ｖに設定されている。上記の非放電空間３２１における対向放電開始電圧をＶ１［Ｖ］、放電空間３２０における対向放電開始電圧をＶ２［Ｖ］とすると、Ｖ１は６５Ｖ以上であればよく（Ｖ１≧６５）、Ｖ２は、例えば、１０Ｖ程度に設定することができる（Ｖ２≒１０）。このため、１０Ｖ以上かつＶ１以下の電圧を走査電極３０３とデータ電極３０７との間に印加することにより、非放電空間３２１における対向放電を発生させることなく、書き込み選択を行うことができる。
【００７７】
（第三の実施の形態）
図５（Ａ）は本発明の第三の実施の形態に係るプラズマディスプレイパネルの概略的な平面図、図５（Ｂ）は図５（Ａ）のＢ−Ｂ'線における断面図、図５（Ｃ）は図５（Ａ）のＡ−Ａ'線における断面図、図５（Ｄ）は図５（Ａ）のＣ−Ｃ'線における断面図である。
【００７８】
本実施形態に係るプラズマディスプレイパネルは、以下に述べるように、隔壁の形状を除いて、図１に示した第一の実施形態に係るプラズマディスプレイパネルと同一の構造を有している。
【００７９】
本実施形態に係るプラズマディスプレイパネルは、図１に示した第一の実施形態に係るプラズマディスプレイパネルの構造に加えて、非放電空間３２１に形成されている複数の隔壁１０２を備えている。各隔壁１０２は、データ電極３０７が延びる方向と同一の方向に延び、かつ、相互に等間隔に配置されている。さらに、各隔壁１０２は、縦隔壁１００ｂと同一直線上に位置するように配置されている。また、各隔壁１０２は、縦隔壁１００ｂよりも大きな幅（走査電極３０３及び共通電極３０４が延びる方向における長さ）を有している。ただし、各隔壁１０２が縦隔壁１００ｂよりも大きな幅を有していることは必ずしも必要ではない。
【００８０】
本実施形態に係るプラズマディスプレイパネルにおいては、走査電極３０３及び共通電極３０４が延びる方向と同一の方向における非放電空間３２１の長さ、すなわち、相互に隣接する隔壁１０２の間の距離をＡ（図５（Ｃ）参照）、隔壁１００（横隔壁１００ａ）の高さをＤ１とすると、距離Ａ及び隔壁１００の高さＤ１は以下の関係が成り立つように設定されている。
【００８１】
Ａ＜１．１８Ｄ１    （５）
図２は、不要放電が発生する表示セル数の割合（縦軸）とＢ／Ｄ１（横軸）との間の関係を示すとともに、要放電が発生する表示セル数の割合（縦軸）とＡ／Ｄ１（横軸）との間の関係をも示すグラフである。
【００８２】
従って、上式（５）が導き出される理由は、式（１）が導き出された理由と同じである。さらに、式（２）が導き出された理由と同様の理由により、本実施形態においても、次の（６）が成り立つ。
【００８３】
Ａ＜１．３Ｄ１    （６）
以上のように、本実施形態に係るプラズマディスプレイパネルにおいては、相互に隣接する隔壁１０２の間の距離Ａ及び隔壁１００の高さＤ１を、Ａ＜１．３Ｄ１の関係が成り立つように、最も好ましくは、Ａ＜１．１８Ｄ１の関係が成り立つように設定している。
【００８４】
これにより、非放電空間３２１における対向放電の発生を抑制することができ、その結果として、画像表示上のざらつきの発生を防止することができる。さらに、図１０に示した従来のプラズマディスプレイパネルとは異なり、非放電空間３２１の全てを隔壁１００で覆わないため、対向電極間（走査電極３０３とデータ電極３０７との間及び共通電極３０４とデータ電極３０７との間）の静電容量の増大を防止することもできる。
【００８５】
さらに、非放電空間３２１に隔壁１０２を形成したことにより、熱収縮に起因する隔壁１００の形状の変形を防止することが可能である。すなわち、プラズマディスプレイパネルの作動に伴って発生する熱により、隔壁１００を構成する横隔壁１００ａ及び縦隔壁１００ｂが熱収縮を起こし、横隔壁１００ａ及び縦隔壁１００ｂの長さが変化するおそれがある。非放電空間３２１に形成した隔壁１０２により、縦方向（データ電極３０７が延びる方向）における横隔壁１００ａ及び縦隔壁１００ｂの長さの変化を最小限に抑えることができる。
【００８６】
（第四の実施の形態）
図６（Ａ）は本発明の第四の実施の形態に係るプラズマディスプレイパネルの概略的な平面図、図６（Ｂ）は図６（Ａ）のＢ−Ｂ'線における断面図、図６（Ｃ）は図６（Ａ）のＡ−Ａ'線における断面図、図６（Ｄ）は図６（Ａ）のＣ−Ｃ'線における断面図である。
【００８７】
本実施形態に係るプラズマディスプレイパネルは、以下に述べるように、隔壁の形状を除いて、図５に示した第三の実施形態に係るプラズマディスプレイパネルと同一の構造を有している。ただし、相互に隣接する隔壁１０２の間の距離Ａ及び隔壁１００の高さＤ１は上記の（５）式及び（６）式が成り立つように設定されていることは必ずしも必要ではない。
【００８８】
なお、本実施形態においては、隔壁１０２の幅（走査電極３０３及び共通電極３０４が延びる方向における長さ）は縦隔壁１００ｂの幅と同一である。
【００８９】
本実施形態に係るプラズマディスプレイパネルにおいては、図６（Ｄ）に示すように、非放電空間３２１において、誘電体層３１４上に隔壁１００の高さを調整する調整層１０１が形成されており、その結果として、放電空間３２０における隔壁１００（横隔壁１００ａ）の高さＤ１と非放電空間３２１における隔壁１００（横隔壁１００ａ）の高さＤ２とは異なっている。具体的には、非放電空間３２１における隔壁１００（横隔壁１００ａ）の高さＤ２は放電空間３２０における隔壁１００（横隔壁１００ａ）の高さＤ１よりも小さい。
【００９０】
Ｄ１＞Ｄ２    （３）
このため、本実施形態に係るプラズマディスプレイパネルは第二の実施形態に係るプラズマディスプレイパネルと同様の効果を奏するとともに、第三の実施形態と同様に、非放電空間３２１に隔壁１０２を形成したことにより、熱収縮に起因する隔壁１００の形状の変形を防止することが可能である。
【００９１】
（第五の実施の形態）
第五の実施形態に係るプラズマディスプレイパネルは図１に示した第一の実施形態に係るプラズマディスプレイパネルと同一の構造を有している。ただし、本実施形態に係るプラズマディスプレイパネルにおいては、バス電極３０６ａ及び３０６ｂの幅（データ電極３０７が延びる方向と同一の方向における長さ）の半分が非放電空間３２１に突出している。すなわち、バス電極３０６ａ及び３０６ｂの幅の半分は横隔壁１００ａと重なりあっており、残りの半分は非放電空間３２１に露出している。
【００９２】
図７は、静電容量と、バス電極３０６ａ及び３０６ｂと横隔壁１００ａとの重なり合いの程度との間の関係を示すグラフである。縦軸の静電容量は、バス電極３０６ａ及び３０６ｂが全て横隔壁１００ａと重なり合ったときの静電容量を１とした場合の相対比で表されている。また、横軸は、バス電極３０６ａ及び３０６ｂが全て横隔壁１００ａと重なり合った状態を１としたときの相対比で表されている。
【００９３】
図７から明らかであるように、バス電極３０６ａ及び３０６ｂと横隔壁１００ａとの重なり合いの程度（横軸）が小さくなるほど、静電容量（縦軸）も小さくなる。
【００９４】
バス電極３０６ａ及び３０６ｂの幅の半分を横隔壁１００ａと重なり合わせることにより、前面基板３５１と背面基板３５２とを組み合わせる際にズレが生じたとしても、対向電極間の静電容量の変化を抑制することができる。すなわち、前面基板３５１と背面基板３５２とを組み合わせる際にズレが生じた場合、一方のバス電極３０６ａと横隔壁１００ａとの重なり合いの程度が増大したとしても、それと同じ分だけ、他方のバス電極３０６ｂと横隔壁１００ａとの重なり合いの程度が減少しているため、プラズマディスプレイパネル全体として見れば、バス電極３０６ａ及び３０６ｂと横隔壁１００ａとの重なり合いの程度は変化せず、バス電極３０６ａ及び３０６ｂと横隔壁１００ａとが重なり合った領域に応じて生じる静電容量の値をプラズマディスプレイパネル全体としては一定の値に維持することができる。
【００９５】
なお、本実施形態に係るプラズマディスプレイパネルは第一の実施形態に係るプラズマディスプレイパネルと同一の構造を有しているものとしたが、第二乃至第四の実施形態に係るプラズマディスプレイパネルの何れかと同一の構造を有するものとすることもできる。
【００９６】
なお、プラズマディスプレイパネルには、書き込み選択式のものと消去選択式のものとがある。書き込み選択式のプラズマディスプレイパネルにおいては、全ての表示セルにおける壁電荷を一旦消去させてから、必要な表示セルにおいてのみ、壁電荷を形成させることにより、表示を行う。消去選択式のプラズマディスプレイパネルにおいては、全ての表示セルに壁電荷を形成させてから、不要な壁電荷を消去し、所定の表示を行う。本発明に係るプラズマディスプレイパネルはこれら両方の形式のプラズマディスプレイパネルに対して適用可能である。
【００９７】
（第六の実施の形態）
図８は、上述の本発明の第一乃至第五の実施形態に係るプラズマディスプレイパネルを用いたプラズマ表示装置１０の構造を示すブロック図である。
【００９８】
図８に示すように、本実施形態に係るプラズマ表示装置１０は、モジュール構造を有するものとして設計されており、具体的には、アナログインターフェース２０とプラズマディスプレイパネルモジュール３０とから構成されている。
【００９９】
アナログインターフェース２０は、クロマ・デコーダを備えるＹ／Ｃ分離回路２１と、Ａ／Ｄ変換回路２２と、ＰＬＬ回路を備える同期信号制御回路２３と、画像フォーマット変換回路２４と、逆γ（ガンマ）変換回路２５と、システム・コントロール回路２６と、から構成されている。
【０１００】
概略的には、アナログインターフェース２０は、受信したアナログ映像信号をディジタル映像信号に変換した後、そのディジタル映像信号をプラズマディスプレイパネルモジュール３０に供給する。
【０１０１】
例えば、テレビチューナーから発信されたアナログ映像信号はＹ／Ｃ分離回路２１においてＲＧＢの各色の輝度信号に分解された後、Ａ／Ｄ変換回路２２においてディジタル信号に変換される。
【０１０２】
その後、プラズマディスプレイパネルモジュール３０の画素構成と映像信号の画素構成が異なる場合には、画像フォーマット変換回路２４において必要な画像フォーマットの変換が行われる。
【０１０３】
プラズマディスプレイパネルの入力信号に対する表示輝度の特性は線形的に比例するが、通常の映像信号はＣＲＴの特性に合わせて、予め補正（γ変換）されている。このため、Ａ／Ｄ変換回路２２において映像信号のＡ／Ｄ変換を行った後、逆γ変換回路２５において、映像信号に対して逆γ変換を施し、線形特性に復元されたディジタル映像信号を生成する。このディジタル映像信号はＲＧＢ映像信号としてプラズマディスプレイパネルモジュール３０に出力される。
【０１０４】
アナログ映像信号には、Ａ／Ｄ変換用のサンプリングクロック及びデータクロック信号が含まれていないため、同期信号制御回路２３が、アナログ映像信号と同時に供給される水平同期信号を基準として、サンプリングクロック及びデータクロック信号を生成し、プラズマディスプレイパネルモジュール３０に出力する。
【０１０５】
システム・コントロール回路２６は、各種制御信号をプラズマディスプレイパネルモジュール３０に対して出力する。
【０１０６】
プラズマディスプレイパネルモジュール３０は、ディジタル信号処理・制御回路３１と、パネル部３２と、から構成されている。
【０１０７】
ディジタル信号処理・制御回路３１は、入力インターフェース信号処理回路３４と、フレームメモリ３５と、メモリ制御回路３６と、ドライバ制御回路３７と、から構成されている。
【０１０８】
入力インターフェース信号処理回路３４は、システム・コントロール回路２６から発信される各種制御信号、逆γ変換回路２５から発信されるＲＧＢ映像信号、同期信号制御回路２３から発信される同期信号、ＰＬＬ回路から発信されるデータクロック信号を受信する。
【０１０９】
ディジタル信号処理・制御回路３１は、入力インターフェース信号処理回路３４において、これらの各種信号を処理した後、制御信号をパネル部３２に送信する。同時に、メモリ制御回路３６及びドライバ制御回路３７はメモリ制御信号及びドライバ制御信号をパネル部３２に送信する。
【０１１０】
パネル部３２は、上述の第一乃至第五の実施形態にプラズマディスプレイパネルのうちの何れかのプラズマディスプレイパネル５０と、走査電極を駆動する走査ドライバ３８と、データ電極を駆動するデータドライバ３９と、プラズマディスプレイパネル５０及び走査ドライバ３８にパルス電圧を供給する高圧パルス回路４０と、から構成されている。
【０１１１】
プラズマディスプレイパネル５０は１３６５個×７６８個に配列された画素を有するものとして構成されている。プラズマディスプレイパネル５０においては、走査ドライバ３８が走査電極を制御し、データドライバ３９がデータ電極を制御することにより、これらの画素のうちの所定の画素の点灯または非点灯が制御され、所望の表示が行われる。
【図面の簡単な説明】
【０１１２】
【図１】図１（Ａ）は本発明の第一の実施の形態に係るプラズマディスプレイパネルの概略的な平面図、図１（Ｂ）は図１（Ａ）のＢ−Ｂ'線における断面図、図１（Ｃ）は図１（Ａ）のＡ−Ａ'線における断面図、図１（Ｄ）は図１（Ａ）のＣ−Ｃ'線における断面図である。
【図２】不要放電が発生する表示セル数の割合（縦軸）とＢ／Ｄ１（横軸）との間の関係を示すグラフである。
【図３】図３（Ａ）は本発明の第二の実施の形態に係るプラズマディスプレイパネルの概略的な平面図、図３（Ｂ）は図３（Ａ）のＢ−Ｂ'線における断面図、図３（Ｃ）は図３（Ａ）のＡ−Ａ'線における断面図、図３（Ｄ）は図３（Ａ）のＣ−Ｃ'線における断面図である。
【図４】図４は、縦軸を対向放電が始まる際の放電開始電圧Ｖｆ、横軸をｐｄとした、いわゆるパッシェンカーブを示すグラフである（ｐは放電ガスの圧力、ｄは放電空間または非放電空間における隔壁の高さ）。
【図５】図５（Ａ）は本発明の第三の実施の形態に係るプラズマディスプレイパネルの概略的な平面図、図５（Ｂ）は図５（Ａ）のＢ−Ｂ'線における断面図、図５（Ｃ）は図５（Ａ）のＡ−Ａ'線における断面図、図５（Ｄ）は図５（Ａ）のＣ−Ｃ'線における断面図である。
【図６】図６（Ａ）は本発明の第四の実施の形態に係るプラズマディスプレイパネルの概略的な平面図、図６（Ｂ）は図６（Ａ）のＢ−Ｂ'線における断面図、図６（Ｃ）は図６（Ａ）のＡ−Ａ'線における断面図、図６（Ｄ）は図６（Ａ）のＣ−Ｃ'線における断面図である。
【図７】静電容量（縦軸）と、走査電極用バス電極及び共通電極用バス電極と横隔壁との重なり合いの程度（横軸）との間の関係を示すグラフである。
【図８】本発明の第一乃至第五の実施形態に係るプラズマディスプレイパネルを用いたプラズマ表示装置１０の構造を示すブロック図である。
【図９】ＡＣ型プラズマディスプレイパネルにおける一つの表示セルの構造の一例を示す分解斜視図である。
【図１０】バス電極と横隔壁を上方から見たときの両者の一配置例を示す概略的な平面図である。
【図１１】バス電極と横隔壁を上方から見たときの両者の他の配置例を示す概略的な平面図である。
【符号の説明】
【０１１３】
３５１  前面基板
３５２  背面基板
３０１、３０２  絶縁基板
３０３  走査電極
３０４  共通電極
３０５、３０６  バス電極
３０６ａ、３０６ｂ  バス電極
３０７  データ電極
３０８  表示セル（画素）
３１２、３１４  誘電体層
３１３  保護層
３１５  隔壁
３１５ａ  縦隔壁
３１５ｂ  横隔壁
３１１  蛍光体層
３２０  放電空間
３２１  非放電空間
１００  隔壁
１００ａ  横隔壁
１００ｂ  縦隔壁
１０１  調整層
１０２  隔壁
１０  プラズマ表示装置
２０  アナログインターフェース
３０  プラズマディスプレイパネルモジュール
２１  Ｙ／Ｃ分離回路
２２  Ａ／Ｄ変換回路
２３  同期信号制御回路
２４  画像フォーマット変換回路
２５  逆γ（ガンマ）変換回路
２６  システム・コントロール回路
３１  ディジタル信号処理・制御回路
３２  パネル部
【図１】
2005243392.tif 000003
【図２】
2005243392.tif 000004
【図３】
2005243392.tif 000005
【図４】
2005243392.tif 000006
【図５】
2005243392.tif 000007
【図６】
2005243392.tif 000008
【図７】
2005243392.tif 000009
【図８】
2005243392.tif 000010
【図９】
2005243392.tif 000011
【図１０】
2005243392.tif 000012
【図１１】
2005243392.tif 000013